(57)【特許請求の範囲】
【請求項１】
折りたたみ式ナイフであって、
自由端および反対側のハンドル取付端部を有する細長い刃であって、前記刃は、前記両端間に延びる縦軸を定め、前記刃は、一般に円形の輪郭を有するカム収容開口、および、前記カム収容開口に隣接して配置されて、前記カム収容開口へと開いている刃ノッチを定める、細長い刃、
自由端および反対側の刃取付端部を有する細長いハンドルであって、前記ハンドルは、前記両端間に延びる縦軸を定め、前記ハンドルは、前記刃の前記刃ノッチと解放可能に係合するためのロック構造を含む、細長いハンドル、
一般に円形の外周エッジを有するディスク形カムであって、前記カムの中心からオフセットされた枢支軸の周りに前記ハンドルに対する前記カムの回転変位を可能にする配置において前記ハンドルに枢支的に取り付けられ、前記カムは、前記カム収容開口の中で前記カムの回転を可能にする配置において前記刃の前記カム収容開口の中に受け入れられて、これにより、前記カムへの前記刃の取付けおよび、前記刃が前記ハンドル上へ折りたたまれる折りたたみ状態と、前記刃および前記ハンドルの両前記縦軸が実質的に整列配置される延長した状態との間で、前記ハンドルに対する前記刃の回転変位を提供し、前記カムは、前記ハンドルの前記ロック構造が受け入れられることのできるカムノッチを定め、これにより、前記ロック構造が前記カムノッチに受け入れられるときに、前記ハンドルに対する前記カムおよび前記刃の回転変位を可能にする、ディスク形カム、
前記ハンドルに対する前記カムの前記回転変位を調整するためのカム機構であって、前記カム機構は、前記カムを、そして前記カムに取り付けられる前記刃を、前記ハンドルに対する所定の回転方向において付勢するための付勢手段、および、前記ハンドルに固定されて前記付勢手段が当接する当接構造であって、前記カムが前記所定の回転方向において変位されるときにテンションの下に置かれる当接構造、を含む、カム機構、を含み、
前記カムの形状ならびに、前記刃ノッチおよび前記ロック構造の相対的位置は、前記刃が前記延長した状態にあるときに、前記ロック構造の解放を妨害する前記カムの外周エッジを用いて、前記ロック構造が前記刃ノッチ内に解放可能に捕獲され、前記刃のその延長した状態からその折りたたみ状態への変位は、前記刃ノッチを前記ロック構造から離れて前記回転方向に変位させるように前記付勢手段の付勢力に抗して前記刃に力を働かせることによって達成され、一方で前記カムノッチを前記刃ノッチと合う位置に持ってくるように前記カムと関連して前記刃を回転させ、これにより、前記ロック構造を前記刃ノッチから解放して、そして前記カムと関連する前記刃の回転ができるように、前記ロック構造が前記カムの中に受け入れられることを許容する、ように構成される、
折りたたみ式ナイフ。
【請求項２】
前記ハンドルは、前記刃がその延長した状態においておよびその折りたたみ状態において当接するストップ構造を含み、前記ストップ構造は、前記刃をその折りたたみ状態から変位させるときにその延長した状態を越える前記刃のさらなる回転変位を防止するためのストップとして、および、前記刃をその延長した状態から変位させるときにその折りたたみ状態を越える前記刃のさらなる回転変位を防止するためのストップとして作用する、請求項１に記載の折りたたみ式ナイフ。
【請求項３】
前記刃は、当該刃がその延長した状態にあるときに前記ストップ構造が受け入れられる第２の刃ノッチを定める、請求項２に記載の折りたたみ式ナイフ。
【請求項４】
前記第２の刃ノッチは、前記刃の前記ハンドル取付端部のエッジにおいて定められる、請求項３に記載の折りたたみ式ナイフ。
【請求項５】
前記刃は、前記カム収容開口に隣接して配置されて、前記カム収容開口へと開いている第３の刃ノッチを定め、前記刃が前記折りたたみ状態にあるときに前記ロック構造が前記第３の刃ノッチ内に解放可能に捕獲されるように、前記第３の刃ノッチは、前記刃ノッチの実質的に正反対に配置される、請求項１〜４のいずれか１項に記載の折りたたみ式ナイフ。
【請求項６】
前記ストップ構造に比べて前記ロック構造が前記ハンドルの前記縦軸に比較的より近くに位置していて、これにより、前記ロック構造および前記ストップ構造の位置が互いに横にオフセットされることを提供するように、前記ハンドルの前記ロック構造および前記ストップ構造は、互いに関して位置決めされる、請求項２〜５のいずれか１項に記載の折りたたみ式ナイフ。
【請求項７】
前記ストップ構造に比べて前記ロック構造は、前記ハンドルの前記刃取付端部に比較的より近くに位置していて、これにより、前記ロック構造および前記ストップ構造の位置が互いに長手方向にオフセットされることを提供する、請求項２〜６のいずれか１項に記載の折りたたみ式ナイフ。
【請求項８】
一対のカバーを含み、前記一対のカバーのうちの各カバーは、前記カム収容開口の側面を閉じて、これにより、前記カム収容開口の中に前記カムおよび前記カム機構を保持して覆うために前記カム収容開口の側面に配置される、請求項１〜７のいずれか１項に記載の折りたたみ式ナイフ。
【発明の詳細な説明】
【技術分野】
【０００１】
本発明は、折りたたみ式ナイフに関する。本明細書において、「折りたたみ式ナイフ」という用語は、細長い工作物（例えば、刃、シャンクまたはステム）を有するいかなるタイプの折りたたみ式ツールも意味するように十分広く解釈されなければならない。さらに、「細長い刃」という用語に対する本明細書におけるいかなる参照も、いかなる細長い工作物（例えば、刃、シャンクまたはステム）も意味するように解釈されなければならない。
【発明の概要】
【課題を解決するための手段】
【０００２】
本発明によれば：
自由端および反対側のハンドル取付端部を有する細長い刃であって、刃は、両端間に延びる縦軸を定め、刃は、一般に円形の輪郭を有するカム収容開口、および、カム収容開口に隣接して配置されて、カム収容開口へと開いている刃ノッチを定める、細長い刃；
自由端および反対側の刃取付端部を有する細長いハンドルであって、ハンドルは、両端間に延びる縦軸を定め、ハンドルは、刃の刃ノッチと解放可能に係合するためのロック構造を含む、細長いハンドル；
一般に円形の外周エッジを有するディスク形カムであって、カムの中心からオフセットされた枢支軸の周りにハンドルに対するカムの旋回変位を可能にする配置においてハンドルに枢支的に取り付けられ、カムは、カム収容開口の中でカムの回転を可能にする配置において刃のカム収容開口の中に受け入れられて、これにより、カムへの刃の取付けおよび、刃がハンドル上へ折りたたまれる折りたたみ状態と、刃およびハンドルの両縦軸が実質的に整列配置される延長した状態との間で、ハンドルに対する刃の回転変位を提供し、カムは、ハンドルのロック構造が受け入れられることのできるカムノッチを定め、これにより、ロック構造がカムノッチに受け入れられるときに、ハンドルに対するカムおよび刃の線形変位を可能にする、ディスク形カム；
ハンドルに対するカムの線形変位を調整するためのカム機構であって、カム機構は、カムを、そしてこれによりカムに取り付けられる刃を、ハンドルに対する所定の線形方向において付勢するための付勢手段、および、ハンドルに固定されて付勢手段が当接する当接構造であって、カムが所定の線形方向において変位されるときにテンションの下に置かれる当接構造、を含む、カム機構、を含み；
カムの形状ならびに、刃ノッチおよびロック構造の相対的位置は、刃が延長した状態にあるときに、ロック構造の解放を妨害するカムの外周エッジを用いて、ロック構造が刃ノッチ内に解放可能に捕獲され、刃のその延長した状態からのその折りたたみ状態への変位は、刃ノッチをロック構造から離れて線形方向に変位させるように付勢力に抗して刃に力を働かせることによって達成され、一方でカムノッチを刃ノッチと合う位置に持ってくるようにカムと関連して刃を回転させ、これにより、ロック構造を刃ノッチから解放して、そしてカムと関連する刃の回転ができるように、ロック構造がカムの中に受け入れられることを許容する、ように構成される、
折りたたみ式ナイフが提供される。
【０００３】
ハンドルは、刃がその延長した状態においておよびその折りたたみ状態において当接するストップ構造を含んでよく、ストップ構造は、刃をその折りたたみ状態から変位させるときにその延長した状態を越える刃のさらなる回転変位を防止するためのストップとして、および、刃をその延長した状態から変位させるときにその折りたたみ状態を越える刃のさらなる回転変位を防止するためのストップとして作用する。
【０００４】
刃は、当該刃がその延長した状態にあるときにストップ構造が受け入れられる第２の刃ノッチを定めてよい。より詳しくは、第２の刃ノッチは、刃のハンドル取付端部のエッジにおいて定められてよい。
【０００５】
折りたたみ式ナイフは、カム収容開口に隣接して配置されて、カム収容開口へと開いている第３の刃ノッチを定めてよく、刃が折りたたみ状態にあるときにロック構造が第３の刃ノッチ内に解放可能に捕獲されるように、第３の刃ノッチは、刃ノッチの実質的に正反対に配置される。
【０００６】
追加のロック構造に比べてロック構造がハンドルの縦軸に比較的より近くに位置していて、これにより、ロック構造および追加のロック構造の位置が互いに横にオフセットされることを提供するように、ハンドルのロック構造および追加のロック構造は、互いに関して位置決めされてよい。さらに、追加のロック構造に比べてロック構造は、ハンドルの刃取付端部に比較的より近くに位置してよく、これにより、ロック構造および追加のロック構造の位置が互いに長手方向にオフセットされることを提供する。
【０００７】
折りたたみ式ナイフは、一対のカバーを含んでよく、一対のカバーのうちの各カバーは、カム収容開口の側面を閉じて、これにより、カム収容開口の中にカムおよびカム機構を保持して覆うためにカム収容開口の側面に配置される。
【０００８】
本発明のさらなる特徴は、添付の概略的な図面を参照して、そしてそれに図示したように、非限定的な本発明の実施例によって以下に説明する。
【図面の簡単な説明】
【０００９】
【図１】図１は、本発明による折りたたみ式ナイフの分解斜視図を示す。
【図２】図２は、図１の折りたたみ式ナイフの側面図を示す。
【図３】図３は、その延長した状態の折りたたみ式ナイフの刃とともに示される、図１の折りたたみ式ナイフの部分拡大平面図を示す。
【図４】図４は、その延長した状態から折りたたみ状態へとハンドルと関連して回転される刃とともに示される、図１の折りたたみ式ナイフの部分拡大平面図を示す。
【図５】図５は、その延長した状態から折りたたみ状態へとハンドルと関連してさらに回転される刃とともに示される、図１の折りたたみ式ナイフの部分拡大平面図を示す。
【図６】図６は、その折りたたみ状態の折りたたみ式ナイフの刃とともに示される、図１の折りたたみ式ナイフの部分拡大平面図を示す。
【発明を実施するための形態】
【００１０】
図面に関して、本発明の折りたたみ式ナイフは、参照番号１０によって一般に示される。
【００１１】
折りたたみ式ナイフ１０は、刃１２、ハンドル１４、カム１６、カム機構１８、および一対のディスク形ベアリングカバー２０を含む。
【００１２】
刃１２は、自由端２２および反対側のハンドル取付端部２４を有する細長い形状を有して、端２２、２４間に延びる縦軸Ａを定める。刃１２は、一般に円形の形状を有するカム収容開口２８を定める。その中に、カム１６は、受け入れられる。カム収容開口２８は、平面図で見られるときに中心Ｃを有し、そして、その周りに刃１２が回転可能である中心を通る回転軸を定める。カムは、カム収容開口の中に回転可能に取り付けられる。刃は、第１の刃ノッチ３０、第２の刃ノッチ３２、および第３の刃ノッチ３３を定める。第１の刃ノッチ３０は、カム収容開口２８に隣接して定められて、カム収容構造へと開いている。第２の刃ノッチ３２は、そのハンドル取付端部２４で刃の縁に定められる。第３の刃ノッチ３３は、カム収容開口２８に隣接して第１の刃ノッチ３０の正反対に配置されて、カム収容開口へと開いている。刃は、ギザギザのある親指グリップ３４およびカットアウト３５をさらに定める。
【００１３】
ハンドル１４は、自由端３６および反対側の刃取付端部３８を有する細長い形状を有して、自由端３６と反対側の刃取付端部３８との間に延びる縦軸Ｂを定める。ハンドルは、２つのハンドルハーフ４０を含む。ハンドルハーフ４０．１、４０．２は、それぞれ、内側ライナープレート４２．１、４２．２、および比較的より厚い外側カバープレート４４を含む。刃１２は、両ハンドルハーフ間に回転可能に受け入れられる。刃が受け入れられるすきまを定めるように両ハンドルハーフが離れて間隔を置かれるように、折りたたみ式ナイフは、組立てられる。ハンドルハーフ４０．１は、加えて、ロックピン４８の形のロック構造、ストップピン５０の形のストップ構造、および枢支ピン５２を定める。内側ライナープレート４２．１は、加えて、一対の内向きに延びるスペーサ・ブッシユ５３を含む。そしてそれは、その反対端に内部的にネジ穴を定める。ハンドルハーフ４０．１、４０．２は、外側プレート４４において定められるさら穴、および関連する内側プレート４２において定められる整列配置された穴に受け入れられるネジ４６によって、互いに接続される。刃がその折りたたみ状態において受け入れられる内部空間を定めるように、スペーサ・ブッシユ５３は、ハンドルハーフを互いに間隔を置いて配置する。より詳しくは、ネジ４６は、スペーサ・ブッシユ５３の端部に定められるネジ穴に螺合される。
【００１４】
カム１６は、ディスク状の形状を有し、そして、後で詳しく述べるように、ハンドル１４に対してカム１６の線形変位ができるような配置において、ハンドル１４に枢支的に取り付けられるように構成される。カム１６は、カムノッチ５４を定めるカム本体、枢軸収容開口５６、およびカム機構１８が受け入れられるベル形のカム機構収容開口５８を備える。カム本体は、刃のカム収容開口２８の中でカム１６の回転ができるようにぴったり合う接触状態において、刃１２のカム収容開口２８の中に受け入れられる一般に円形の外周縁を有する。カムノッチ５４は、その中にロックピン４８を受け入れるために寸法取りされて、構成される。枢軸収容開口５６は、カムが平面図において見られるときに（図３参照）、カム１６の中心Ｃから距離「Ｘ」オフセットした位置でハンドル１４にカム１６を枢支的に取り付けるための、枢支ピン５２をその中に受け入れるために構成される。
【００１５】
カム機構１８は、カム１６の線形変位を調整するために構成され、そして、当接ピン６０の形の当接構造、およびねじりばね６２の形の付勢手段を含む。図１に最も明らかに示されるように、当接ピン６０は、中心ディスク６４および、中心ディスク６４の反対端部から外向きに延びる２つの円筒状エンドピン部６６を含む。中央通路６８は、当接ピン６０を通って中央に延びる。エンドピン部の自由端に定められる通路の開口については、中央通路６８は、その反対端部でねじ切りされる。当接ピン６０は、カム１６のカム機構収容開口５８の一部の中に受け入れられて、ネジによってハンドルハーフ４０に固定される。ばね６２は、カム機構収容開口５８内に受け入れられて、ばねが当接する開口５８の一部の形状にかなうように形づくられる。ばね６２は、当接ピン６０に対しても当接する。そして、以下に説明されるようにカム１６が線形方向に偏位されるときに、ばね６２をテンションの下に配置させる。
【００１６】
ベアリングカバー２０は、比較的薄いプレートの形であり、平面図で見られるときに円形の構成を有する。各ベアリングカバー２０は、そこに定められる３つの穴７０．１、７０．２、７０．３を有する。各ベアリングカバー２０は、円形の外輪郭を有する。そして、保持しているディスクの直径は、刃１２のカム収容開口２８の直径よりもわずかに大きい。カバー２０の穴７０．２は、それを通って当接ピン６０の円筒状エンドピン部６６の異なる一つを各々受け入れる。ロックピン４８および枢支ピン５２は、穴７０．１、７０．３に受け入れられる。ベアリングカバー２０は、したがって、カム収容開口２８の両側を閉じて、これにより、カムおよびカム機構をカム収容開口の内部に保持して、ほこりの進入を防止する。
【００１７】
各ライナープレート４２はまた、保持しているディスク２０の穴７０．１、７０．２、７０．３と合う位置に、ロードピン４８、枢支ピン５２およびエンドピン部６２がそれぞれ受け入れられる穴７１．１、７１．２、７１．３を定める。ベアリングカバー２０およびライナープレート４２は、エンドピン部６６のネジの端部にねじ込まれるネジ７３．１、７３．２によって当接ピン６０に留められて、これにより、ベアリングカバーをカム収容開口２８の両側に固定する。ベアリングカバーの外周部分がカム収容開口を囲んでいる刃１２の部分を圧迫するように、ネジ７３．１、７３．２は、必要なトルクに締められる。これにより、カム収容開口および刃ノッチ３０へのほこりの進入を防止する。
【００１８】
使用中、カム１６が刃１２に取り付けられるときに、カムと刃のカム収容開口２８との間のぴったり合う接触が、刃１２のカム収容開口２８の中でのカムの回転を許容すると認められる。そして、これにより、それがハンドルハーフ４０の間に受け入れられるようにハンドル１４上へ折りたたまれる（図６に示すような）折りたたみ状態と、刃１２の縦軸Ａおよびハンドル１４の縦軸Ｂが整列配置される（図２、図３に示すような）延長した状態との間に、刃１２の回転変位を提供する。
【００１９】
カムの形状ならびに、第１の刃ノッチ３０のおよびロックピン４８の相対的位置は、刃１４がその延長した状態にあるときに、図３に示されるようにロックピンの解放を妨害しているカムの外周エッジを用いて、ロックピンが第１の刃ノッチ３０内に解放可能に捕獲されるようなものである。ハンドル１４に対して刃１２を図３に示す直線方向「Ｆ」に変位させるようにバネ力６２に対して刃１２に力を働かせることによって、刃１２は、その折りたたみ状態への変位が許容されるように解放される。これは、第２の刃ノッチ３２をストップピン５０から離れるように変位させ、そして、第１の刃ノッチ３０をロックピン４８から離れるように変位させる。次いで、刃は、第１の刃ノッチ３０と合う位置にカムノッチ５４を持ってくるように、カム１６と関連してわずかに回転する。これによって、図面の図４に示されるように、ロックピン４８が第１の刃ノッチ３０から解放されることができて、カムノッチ５４の中に受け入れられることができる。
【００２０】
ロックピン４８がカムノッチ５４に受け入れられて、そして第３の刃ノッチ３３に受け入れられるときに、その延長した状態からその折りたたみ状態への刃の回転は、許容される。ばね６２により提供されるばね圧は、ロックピン４８を刃ノッチ３３内に解放可能に保持して、これにより、折りたたみ状態にあるときに刃が偶然に開くのを防止する。刃の折りたたみ状態において、ストップピン５０は、カットアウト３５に受け入れられて、これにより、刃のさらなる回転を防止する。
【００２１】
刃をその折りたたみ状態からその延長した状態へ変位させるために、その延長した状態への刃の回転を始めるための刃の親指グリップ３４上に、親指圧は、作用する。親指グリップ上に作用する圧力は、刃ノッチ３３をロックピン４８から離れるように変位させて、これにより、刃の回転を許容する。第１の刃ノッチ３０がロックピン４８と整列されるまで、刃はさらに回転して、ロックピンは、バネ６２の作用の下で刃ノッチ３０内に解放可能に捕獲される。この位置で、ストップピン５０は、第２の刃ノッチ３２に受け入れられて、刃のさらなる回転を防止する。
【００２２】
ロックピン４８およびストップピン５０は、ロックピンがハンドル１４の縦軸Ｂに比較的より近くにあるように互いに関して配置されて、したがって、両ピンは、互いに横にオフセットされる。さらに、ロックピン４８は、ストップピン５０よりもハンドルの刃取付端部３８に比較的より近くに配置されて、両ピンは、互いに長手方向にもオフセットされる。上述のようなロックピンおよびストップピンをオフセットは、刃がその延長した位置において確実に保持されることを提供する。
【００２３】
使用中、ベアリングカバー２０の直径が刃１２のカム収容開口２８の直径よりも大きいので、粒子材料（例えば塵および／またはほこり）がカム収容開口２８に入って、カム機構１８の動作およびカム１６の変位を妨害するのを防止することに、ベアリングカバー２０が効果的であると認められる。より詳しくは、ベアリングカバー２０を当接ピン６０に保持するネジ７３．１、７３．２は、必要なトルクに締めつけられる。そうすると、ベアリングカバー２０の外周部分は、カム収容開口２８および刃ノッチ３０を囲んでいる刃１２の部分を圧迫して、これにより、使用中に、カム収容開口２８および刃ノッチ３０の中に粒子材料が入れないように保つ。ベアリングカバー２０はまた、刃がその延長した状態と折りたたみ状態との間を回転する間、刃が耐える軸受面を提供する。ベアリングカバー２０はまた、内側ライナープレートの内側から間隔を置いて刃を配置して、これにより、刃が回転するときに刃が内側ライナープレートにこすれることから保護するのに役立つ。
【００２４】
前述したような本発明の基本的特徴をまだ組み込む一方で、本発明による折りたたみ式ナイフ１０の正確な形状が非常に変化してよいことは、いうまでもない。
【図１】
0005735703.tif 000002
【図２】
0005735703.tif 000003
【図３】
0005735703.tif 000004
【図４】
0005735703.tif 000005
【図５】
0005735703.tif 000006
【図６】
0005735703.tif 000007